(57)【要約】【課題】  解決しようとする問題点は、生命保険会社が保有している査定不適格者、いわゆる疾病を有する者の当該疾病を改善し、生命保険に加入し得るにすることである。【解決手段】  本発明は、生命保険会社において、当該会社が保有する生命保険査定における不適合者リストによって、不適合となった原因の疾病を改善し得る生薬のダイレクトメール等を発送し、不適合者に当該生薬を利用してもらうことにより疾病の改善を図って生命保険査定をクリアし、改めて生命保険に加入せしめるべくなしたる生命保険会社における保険加入促進システムを課題を解決するための手段としている。【特許請求の範囲】
【請求項１】
生命保険会社において、当該会社が保有する生命保険査定における不適合者リストによって、不適合となった原因の疾病を改善し得る生薬のダイレクトメール等を発送し、不適合者に当該生薬を利用してもらうことにより疾病の改善を図って生命保険査定をクリアし、改めて生命保険に加入せしめるべくなしたる生命保険会社における保険加入促進システム。
【発明の詳細な説明】
【技術分野】
【０００１】  本発明は、生命保険会社において、生命保険査定で疾病により不適合となった保険加入希望者の疾病の改善を図り、改めて保険に加入せしめるべくなしたる生命保険会社における保険加入促進システムに関するものである。
【背景技術】
【０００２】  生命保険に加入する際には告知義務が生じることは周知である。告知義務とは、生命保険会社が保険の申込みに対し、諾否の決定をするために、あるいは保険料の決定をするために必要な資料を収集するにあたって、保険契約の申込者や被保険者が自己の知っている範囲で保険会社に危険選択に関する重要な事実をのべる義務のことを言うのである。通常、医師の審査による契約の場合には、保険会社の指定した医師が告知書に基づき質問した事項について、告知義務者がありのままを答えるというもので、告知記入内容を本人が確認して署名する。また審査を行わない契約の際は告知書に告知義務者がありのままを記入するというもので、告知書記入内容を本人が確認し署名する。この告知義務に違反した場合には、生命保険会社は契約を将来に向かって解除することができるし、告知義務者に重大な疾病があった時には生命保険の契約そのものが不成立となる。【０００３】  一方いろいろな疾病に対して、その疾病の改善を図り得る薬草は昔から周知である。表１及び表２に示すように沖縄は生薬、特にその中でも薬草の宝庫であり、各種の薬草が昔から用いられているが、ウコンはその中でも代表的な薬草であり、春ウコンはクルクミンは少量ながら精油成分の含有量が多く、秋ウコンはクルクミンの含有量が最も高く精油成分も多い。胆汁分泌促進作用、利尿作用、抗菌作用、胃液分泌促進作用、子宮収縮作用に優れた効果がある。【０００４】
【表１】
2006107410.tif 000002
【０００５】
【表２】
2006107410.tif 000003
【０００６】  成人病である糖尿病を例に取れば、当該糖尿病は近年、増え続けている疾患の一つである。血液中の糖分、つまり血糖が慢性的に過剰な状態になりやすい体質を糖尿病と言う。遺伝的傾向を持った人に肥満、過食、大酒、運動不足、ストレスなどが加わって発病するのが一般的であるが、原因がわからず突然発病することもある。いずれも膵臓で作られるインスリンというホルモンの働きの不足によって起こるものである。体は食物から摂取したブドウ糖を筋肉組織の中に取り込んで運動のエネルギー源にしている。通常、ブドウ糖は血液に溶けて全身に運ばれているが、インスリンが分泌されなかったり、分泌されても作用が低下すると、特に筋肉や脂肪組織へのブドウ糖の取りこみが低下し、肝臓から血中への放出を促進する。即ち、血液中の糖分が有効利用されず過剰になるので、それを排泄するため尿中に糖がでるのである。糖尿病の初期は自覚症状があまり出ないが、のどが渇く、夜間に何回もトイレに行く、疲れやすい、いくら食べても空腹感が続く等の症状が出始めたら、次のような糖尿病性合併症に進行していると言われている。
高血糖の状態が続くと、全身の血管が損傷されてゆき、動脈硬化も促進される。そのため、眼球網膜の血管が出血し（糖尿病性網膜症）、最悪の場合は失明する。腎臓の網膜血管にも損傷が起こり、腎障害から最後には人工透析が必要になってくる。（糖尿病性腎障害）また、神経細胞が冒されたり、血行障害が起こることも多く、手足のしびれや神経痛などが現れたり（糖尿病性神経障害）、心臓病や脳卒中が起こりやすくなってくるのである。これらを防ぐには、何よりも血液中のブドウ糖の量を正常な状態に近づけなければならない。この場合、膵臓からのインスリンが分泌されていない人（インスリン依存性糖尿病）はインスリンを毎日注射して外部から補給する必要がある。しかし、このタイプの人は少なく、糖尿病患者の９０％がインスリンは分泌されているが作用が低下している人（インスリン非依存型糖尿病）で食事、運動そして生薬療法で十分な治療効果を期待でき、必ずしもインスリンや経口血糖降下剤を必要としない。これらの薬は強い空腹感、全身脱力感、不機嫌、頭痛、ふるえ、冷え性などの低血糖の副作用が起こるので服用しないにこしたことはないのである。一方、民間では多くの生薬が使われている。生薬の場合、副作用はないのであるが、なぜ効くのか、そのメカニズムがはっきり解っていないのが現状であるが、これからの医学は、もはや治療医学ではなく、健康の医学でなくてはならない。これらの薬草に関しては沖縄だけでなく、同じく薬草の宝庫、ブラジルでは多くの植物が糖尿病の治療に使われている。パッタ・バッカ（マメ科  学名Ｂａｕｈｉｎｉａ  ｆｏｒｔｉｃａｔａ）、ペドラ・ウメ・カアア（フトモモ科  学名Ｍｙｃｉａｍｕｌｔｉｆｌｏｒａ）、カジュエイロ（Ａｎａｃａｒｄｉｕｍ  ｏｆｆｉｄｅｎｔａｌｅ）などの薬草が有名であるが、これらの薬草は共通して古来からインディオの間では下痢止めとして使われてきた側面がある。下痢止めには収斂作用のあるタンニンがその効果が認められているが、これらの薬草に共通に含まれるある種のタンニン成分が血糖を下げるのではないかと言われている。糖尿病の発病原因は複雑であるが、その治療は食事療法を第一に運動による標準体重の維持が基本である。また、糖尿病患者の多くが精神的な問題、いわゆるストレスを抱えているのでマラクジャー（トケイソウ科  学名  Ｐａｓｓｉｆｌｏｒａ  ａｌａｔａ）などのストレスを緩和する薬草も併せて利用すると治療効果が上がるものである。またインドにはギムネマという薬草があるが、当該ギムネマ（正式名称はギムネマ・シルベスタ）はインド原産の薬草で、インド医学が２０００年以上にわたって実証を重ねてきた神秘の薬草で、糖尿病、肥満に大変な効果があると言われている。表１、表２に示す以外に国内においてはアララギ、タラ木、タラ木の皮、タラ根の皮が糖尿病に効果のある薬草として知られている。
【発明の開示】
【発明が解決しようとする課題】
【０００７】  解決しようとする問題点は、生命保険会社が保有している査定不適格者、この中には契約申込み時に疾病が明らかになった者、また契約途中において疾病が発症した者があるが、いわゆる疾病を有する者の当該疾病を改善し、生命保険に加入し得るにすることである。
【課題を解決するための手段】
【０００８】  本発明は、生命保険会社において、当該会社が保有する生命保険査定における不適合者リストによって、不適合となった原因の疾病を改善し得る生薬のダイレクトメール等を発送し、不適合者に当該生薬を利用してもらうことにより疾病の改善を図って生命保険査定をクリアし、改めて生命保険に加入せしめるべくなしたる生命保険会社における保険加入促進システムを課題を解決するための手段としている。
【発明の効果】
【０００９】  本発明にかかるシステムは、生命保険会社において、当該会社が保有する生命保険査定における不適合者リストによって、不適合となった原因の疾病を改善し得る生薬のダイレクトメール等を発送し、不適合者に当該生薬を利用してもらうことにより疾病の改善を図って生命保険査定をクリアし、改めて生命保険に加入せしめるべくなしたる生命保険会社における保険加入促進システムであるから、保険加入時の告知により疾病があって加入不適合となった者に対し、夫々の疾病に対応した生薬のダイレクトメール等を発送して、不適合者に当該生薬を利用してもらい、疾病の改善された不適合者を改めて生命保険に加入せしめるから、査定不適合者は自分の疾病が改善されて健康体となり、生命保険会社は保険加入希望者の疾病を改善できる上に、生薬を販売することによる利益に加えて、保険に加入してもらえる利益をも有するものである等、極めて顕著なる種々の効果が得られるものである。
【発明を実施するための最良の形態】
【実施例１】
【００１０】  生命保険会社において、当該会社が保有する生命保険査定における不適合者リストによって、不適合となった原因の疾病を改善し得る生薬のダイレクトメール等を発送し、不適合者に当該薬草を利用してもらうことにより疾病の改善を図って生命保険査定をクリアし、改めて生命保険に加入せしめるべくなしたる生命保険会社における保険加入促進システムである。ダイレクトメールは、郵送するものからインターネット利用の方法があげられる。
【産業上の利用可能性】
【００１１】  従来は保険加入時の告知による査定で、疾病等により不適合となった者は、そのまま保険に加入する事ができずにいたが、本発明では、少なくとも保険会社がリストを保有する不適合者には、その疾病に適合した薬草のダイレクトメール等を送付して生薬を利用する事を奨め、当該生薬を利用して疾病が改善された不適合者は改めて生命保険に加入する事が可能であるので、保険加入を希望する者、また保険会社双方に有意義な利用可能性の大なる発明である。